(57)【特許請求の範囲】
【請求項１】
底板（１）の前後いずれの方向からも足先側を差込み可能な差込み部（２）が底板（１）の長手方向両側に離れて設けられ、両差込み部（２）間に底板（１）を幅方向に跨いでアーチ状に形成されて前後いずれの方向からも足を差込み可能な掛け具（３）が設けられ、掛け具（３）は夫々の差込み部（２）側から立ち上がる細長材（４ａ、４ｂ）を備え、夫々の細長材（４ａ、４ｂ）は下端部（２０）が前記差込み部（２）の夫々の横に設けられ、頂部（１５）が下端部（２０）から次第に両差込み部（２）間上方に向けて斜めに立ち上げられてアーチ状に形成され、二本の細長材（４ａ、４ｂ）の頂部（１５）が連結されたことを特徴とする履物。
【請求項２】
底板（１）の前後いずれの方向からも足先側を差込み可能な差込み部（２）が底板（１）の長手方向両側に離れて設けられ、両差込み部（２）間に底板（１）を幅方向に跨いでアーチ状に形成されて足を前後いずれの方向からも差込み可能な掛け具（３）が設けられ、掛け具（３）は夫々の差込み部（２）側の細長材（４ａ、４ｂ）と、両細長材（４ａ、４ｂ）間の内側細長材（４ｃ）とを備え、細長材（４ａ、４ｂ）の夫々は下端部（２０）が前記差込み部（２）の夫々の横に設けられ、頂部（１５）が下端部（２０）から次第に両差込み部（２）間上方に向けて斜めに立ち上げられてアーチ状に形成され、内側細長材（４ｃ）は下端部（２０）が底板（１）の長手方向中央部に設けられ、頂部（１５）が下端部（２０）から次第に両細長材（４ａ、４ｂ）間の上方に向けて立ち上げられてアーチ状に形成され、両細長材（４ａ、４ｂ）と内側細長材（４ｃ）の頂部（１５）が連結されたことを特徴とする履物。
【請求項３】
底板（１）の前後いずれの方向からも足先側を差込み可能な差込み部（２）が底板（１）の長手方向両側に離れて設けられ、両差込み部（２）間に底板（１）を幅方向に跨いでアーチ状に形成されて足を前後いずれの方向からも差込み可能な掛け具（３）が設けられ、掛け具（３）は下端部（２０）が底板（１）の中央部から両差込み部（２）の側方まで跨る広さに形成され、頂部（１５）が中央部に向けて幅狭に形成され、頂部（１５）は下端部（２０）から上方に立ち上げられてアーチ状に形成されたことを特徴とする履物。
【請求項４】
請求項１乃至請求項３のいずれかに記載の履物において、差込み部（２）が妻皮形状であることを特徴とする履物。
【請求項５】
請求項１乃至請求項４のいずれかに記載の履物において、差込み部（２）が潰れても復元性のある材質製であることを特徴とする履物。
【請求項６】
底板（１）の長手方向両側に、底板（１）の前後いずれの方向からも足先側を差込み可能な差込み部（２）が設けられ、差込み部（２）は押し潰されても元に戻る復元性のある材質製の妻皮形状であり、差込み部（２）間に底板（１）を幅方向に跨いで前後いずれの方向からも足を差込み可能なアーチ状の掛け具（３）が設けられ、妻皮形状の差込み部（２）の入口側の幅方向両側根元側に差込み部（２）の先端側に凹む空間部（６）が形成され、両空間部（６）間に内側に突出する入口側突片（２２）が形成され、差込み部（２）が空間部（６）及び入口側突片（２２）の上からカバー（７）で被覆されたことを特徴とする履物。
【請求項７】
請求項６記載の履物において、入口側突片（２２）の入口側上縁（８）が入り口側に向けて下り傾斜に形成されたことを特徴とする履物。
【発明の詳細な説明】
【０００１】
【発明の属する技術分野】
本発明は家庭、ホテル、公共施設といったあらゆる場所で履くことができるスリッパ、サンダル等の履物に関し、前後いずれの方向からも履くことができる履物に関するものである。
【０００２】
【従来の技術】
前後いずれの方向からも履くことができるスリッパ（両履きスリッパ）は従来からあった。従来の両履きスリッパは、底板の前後方向中央に底板を跨いでアーチ状に足掛けを設けたものとか、底板の前後両端に足先を差込み可能な妻皮形の差込み部を設けたものであった。
【０００３】
【発明が解決しようとする課題】
従来の両履きスリッパのうち、底板の前後方向中央にアーチ状に足掛けを設けたものは、足掛けが足の甲の外側にしか掛からないため、歩きにくいという難点があった。底板の前後両端に妻皮形状の差込み部を設けたものは、前記スリッパよりは歩き易いが、踵を載せた方の差込み部が潰れてしまい、潰れた差込み部が潰れたままになり、逆向きに履く時は潰れた差込み部に足先側を差込みにくく、履きにくいという難点があった。
【０００４】
【課題を解決するための手段】
本発明の履物は前後いずれの方向からも履くことができ、履き易く、歩き易い履物を提供することにある。
【０００５】
本発明の第１の履物は、底板１の前後いずれの方向からも足先側を差込み可能な差込み部２が底板１の長手方向両側に離れて設けられ、両差込み部２間に底板１を幅方向に跨いでアーチ状に形成されて前後いずれの方向からも足を差込み可能な掛け具３が設けられ、掛け具３は夫々の差込み部２側から立ち上がる細長材４ａ、４ｂを備え、夫々の細長材４ａ、４ｂは下端部２０が前記差込み部２の夫々の横に設けられ、頂部１５が下端部２０から次第に両差込み部２間上方に向けて斜めに立ち上げられてアーチ状に形成され、二本の細長材４ａ、４ｂの頂部１５が連結されたものである。
【０００６】
本発明の第２の履物は、底板１の前後いずれの方向からも足先側を差込み可能な差込み部２が底板１の長手方向両側に離れて設けられ、両差込み部２間に底板１を幅方向に跨いでアーチ状に形成されて足を前後いずれの方向からも差込み可能な掛け具３が設けられ、掛け具３は夫々の差込み部２側の細長材４ａ、４ｂと、両細長材４ａ、４ｂ間の内側細長材４ｃとを備え、細長材４ａ、４ｂの夫々は下端部２０が前記差込み部２の夫々の横に設けられ、頂部１５が下端部２０から次第に両差込み部２間上方に向けて斜めに立ち上げられてアーチ状に形成され、内側細長材４ｃは下端部２０が底板１の長手方向中央部に設けられ、頂部１５が下端部２０から次第に両細長材４ａ、４ｂ間の上方に向けて立ち上げられてアーチ状に形成され、両細長材４ａ、４ｂと内側細長材４ｃの頂部１５が連結されたものである。
【０００７】
本発明の第３の履物は、底板１の前後いずれの方向からも足先側を差込み可能な差込み部２が底板１の長手方向両側に離れて設けられ、両差込み部２間に底板１を幅方向に跨いでアーチ状に形成されて足を前後いずれの方向からも差込み可能な掛け具３が設けられ、掛け具３は下端部２０が底板１の中央部から両差込み部２の側方まで跨る広さに形成され、頂部１５は幅狭に形成され、頂部１５は下端部２０から上方に立ち上げられてアーチ状に形成されたものである。
【０００８】
本発明の第４の履物は、前記１〜３のいずれかに記載の履物において、差込み部２が妻皮形状であることを特徴とするものである。
【０００９】
本発明の第５の履物は、前記１〜４のいずれかに記載の履物において、差込み部２が潰れても復元性のある材質製であることを特徴とするものである。
【００１０】
本発明の第６の履物は、底板１の長手方向両側に、底板１の前後いずれの方向からも足先側を差込み可能な差込み部２が設けられ、差込み部２は押し潰されても元に戻る復元性のある材質製の妻皮形状であり、差込み部２間に底板１を幅方向に跨いで前後いずれの方向からも足を差込み可能なアーチ状の掛け具３が設けられ、妻皮形状の差込み部２の入口側の幅方向両側根元側に差込み部２の先端側に凹む空間部６が形成され、両空間部６間に内側に突出する入口側突片２２が形成され、差込み部２が空間部６及び入口側突片２２の上からカバー７で被覆されたものである。
【００１１】
本発明の第７の履物は、前記第６の履物において、入口側突片２２の入口側上縁８が入り口側に向けて下り傾斜に形成されたものである。
【００１２】
【００１３】
【発明の実施の形態】
（実施例１）
本発明の履物の第１の実施例を図１〜図７の図面に基づいて説明する。図示した履物はスリッパである、本発明の履物はスリッパに限られず、サンダルとか他の物とすることもできる。
【００１４】
図１の履物は、細長い小判型の底板１の前後両端に差込み部２が形成されている。底板１は図２の様に下板１２と上板１３を２枚重ねて形成してあり、下板１２を曲がりにくい材質製として、長手方向にも幅方向にも変形しにくくし、また、重い材質、例えば、薄い金属板製として脱ぎ易くしてある。上板１３は軟質樹脂、ゴム、ウレタン、発泡樹脂のように弾性があって、履き心地の良い材質製とするのが好ましい。下板１２、上底１３はカバー１４で被覆して見栄えを良くしてある。この場合、カバー１４には、目が粗くて足が滑りにくい材質のものにすると歩き易くなる。フェルトのような温かい材質のものを使用すると冬用として使用するのに適し、畳表のような通風性が良く、冷たい材質のものを使用すると夏用として使用するのに適する。
【００１５】
差込み部２は妻皮形状であり、入口１０側を内側に向けて底板１に取り付けられて、底板１の前後いずれの方向からでも入口１０に足先側を差込んで履けるようにしてある。差込み部２は踵とか足で踏まれて押し潰されても元の形状に戻り易い（復元性のある）材質、厚さ等にしてある。差込み部２の先端の底板寄りにはゴムとか他の弾性材を入れて、差込み部２が潰されても形崩れしにくく、元の形状に復元し易くするのがよい。また、図２、図４に示すように差込み部２の入口側上縁８を手前（内側）に下り傾斜にして、履物を脱ぐ時に後方に引いた踵が後方の差込み部２の入口側上縁８に当たりにくくなって、脱ぎ易くなるようにしてある。更に、差込み部２は、図１、図６のように入口１０の両側１６、１７をほぼ垂直に立ち上げて横幅を広くして、足を差込み易くしてある。差込み部２は通常のスリッパのように頂部を円弧状に形成するのではなく、図５、図６のように頂部を扁平にして履き易くしてある。
【００１６】
また、図２、図４のように、差込み部２は入口両側に空間部６が形成され、両空間部６間に内側に突出する入口側突片２２が形成され、差込み部２が空間部６及び入口側突片２２の上からカバー７を被せてある。カバー７は空間部６の外側まではみ出すように広くして空間部６の外側に余裕をもたせ、差込み部２の入口の横幅を広くして足を差込み易く（履き易く）してある。カバー７には布、人工皮革、天然の皮革といった任意のものを使用することができるが、例えば、布とか皮革等の軟らかく、薄いものが適する。また、底板１のカバー１４と同じ材質のものであっても、異なる材質のものであっても使用可能であるが、底板１のカバー１４の材質に合わせると統一が取れてデザイン的には好ましい。カバー７は差込み部２が踏まれて押し潰されても、カバー７には潰れ癖がつきにくいため、履き易さを長期間維持することができる。また、一方の差込み部２に足先が差込まれて他方の差込み部２が踵で踏みつ潰されたときに、空間部６のカバー７が腰折れになって、差込み部２が底板１に確実に重なるため、差込み部２で踵が押し上げられる事がなく、履き易くなる。図示したカバー７の周縁部は下板１２と上板１３の間に挟んで接着材で固定してあるが、カバー７は差込み部２の素材の表面に接着剤で貼り付けたり、他の方法で固定したりすることもできる。カバー７の上には星形の飾り１１が取り付けられている。飾り１１の形状は花形、動物の形状、果実の形状、人間の形状、人間の身体の一部の形状、幾何学的な形状といった所望の形状とすることができる。
【００１７】
二つの差込み部２の間にはアーチ状の掛け具３が底板１を幅方向に跨いで取り付けられている。掛け具３は前後いずれの方向からも足を差込むことができるように前後方向に開口し、貫通している。図１の掛け具３は３本の帯状の細長材４のうち一本を一方の差込み部２側から中央に向けてアーチ状に設け、他の一本を他方の差込み部２側から中央に向けてアーチ状に設け、中央の一本を底板１の長手方向中央にアーチ状に設け、３本の細長材４の中央部（頂部）１５をまとめて留め具５で連結してある。この場合、３本の細長材４の幅を両下端部２０から頂部１５になるにつれて次第に狭くし、しかも、前後の２本の細長材４の頂部１５は次第に縦向きにして、前後２本の細長材４の頂部１５間に中央の細長材４の頂部を挟み易くし、３本の細長材４の頂部１５をまとめてもかさばらず、留め具５で連結し易くしてある。掛け具３を図１のように細長材４で形成すると、掛け具３が前後に揺れ易くなり、遊びができて歩き易くなる。図１の留め具５の上には花形の飾り１１を接着剤や縫付等により取り付けてある。飾り１１の形状は星形、動物の形、果実の形、幾何学的な図形といった所望の形状、デザインとすることができる。
【００１８】
（実施例２）
本発明の履物の第３の実施例を図８に示す。これは掛け具３として両下端部２０を前後方向に幅の広いもの（下端部２０が底板１の中央部から両差込み部２の側方まで跨る広さ）とし、下端から頂部２１に向けて幅を次第に狭くしたものが使用されている。この掛け具３も前後に開口して貫通し、前後いずれの方向からも履くことができるようにしてある。また、掛け具３の中央内面に押し潰されても復元して円弧状になる細長の補強材１８を張りつけてある。
【００１９】
（実施例３）
本発明の履物の底板１は一枚でも３枚以上でも良く、材質は、軽いもの、例えば、コルクとか木、発泡樹脂等でもよい。また、軟らかいものでもよい。差込み部２は妻皮形状ではなく他の形状、構造とすることもできる。例えばテープ状とか、紐状のものを数本、組合わせて形成することもできる。差込み部２の材料も前記したものに限らず、履物に適するものであればどのようなものでも使用可能である。掛け具３の形状、構造、材質も任意に選択可能である。前記履物はスリッパの場合であるが、サンダルとか他の履物であっても同様の構造とすることができる。
【００２０】
【発明の効果】
本発明の第１の履物は次のような効果がある。
１．底板の前後両側に差込み部を設けたので、前後いずれの方向からも履くことができる。
２．前後の差込み部の間に、底板を幅方向に跨いで足を差込み可能としたアーチ状の掛け具を設けたので、掛け具が足の甲にかかり、差込み部だけの場合よりも歩き易くなる。
３．掛け具が両差込み部の間に設けられて前後いずれの方向からも足を差込み可能としてあるので、前後いずれの方向からも履き易い。
４．掛け具の細長材の下端部が差込み部の横に設けられているので、掛け具と差込み部とに一体感があり、履き易い。
５．前後の細長材の中央部（上部）同士が連結されているので、両細長材に一体感があり、履き易い。
６．掛け具が細いものであるため、掛け具が歩く時に足の動きにつれて前後に揺れて遊びができ、歩き易くなる。
７．細長材が前後の差込み部側にあるため、一本ずつを細くしても一本の場合よりは強度があり、細くした場合は、幅の広い一本のものよりは足の動きに追随して前後に動き易くなるため、履き易く、歩き易くなり、掛け具に当たる甲が痛くなることもない。
【００２１】
本発明の第２の履物は、基本的構成が第１の履物と同じであるため、前記効果と同様の効果があり、更に、次の効果もある。
１．前後の差込み部側の細長材と、前後の細長材間の内側細長材とを備え、それらの中央部（頂部）が互いに連結されているので、三つの細長材に一体感があり履き易い。
２．前後の差込み部側の細長材と内側細長材の中央部（頂部）が互いに連結されているので、差込み部側の細長材が差込み部側に傾斜しにくくなり、三つの細長材が底板の前後方向中央に位置するため履き易い。
【００２２】
本発明の第３の履物は次のような効果がある。
１．アーチ状の掛け具の下端部が底板の中央部から両差込み部の側方まで跨る広さに形成されているので、掛け具と差込み部とに一体感があり、履き易い。
２．アーチ状掛け具の頂部が幅狭に形成されているので、掛け具が安定し、履き易くなり、歩き易くもなる
【００２３】
本発明の第４の履物は、差込み部が妻皮形状であるため足を差込み易い。
【００２４】
本発明の第５の履物は、差込み部が潰れても復元性のある材質製であるため、長期間の使用により差込み部が押し潰されても、元の形状に復元し、履き易さがいつまでも確保される。
【００２５】
本発明の第６の履物は、妻皮形状の差込み部の入口側の幅方向両側根元側に差込み部の先端側に凹む空間部が形成されているため、次のような効果がある。
１．差込み部が押し潰されてもカバーには潰れ癖がつきにくく、履き易さを長期間維持できる。
２．一方の差込み部に足を差込んだときに、他方の差込み部が踵で踏み潰されても、差込み部が空間部の部分で腰折れになって扁平に潰れて、潰れた差込み部が底板に扁平に重なるため、踵が潰れた差込み部で押し上げられず、踵で踏みつけた差込み部が邪魔にならず、履き易くなる。
３．差込み部が空間部及び入口側突片の上からカバーで被覆されているので、空間部があっても体裁が悪くならない。
【００２６】
本発明の第７の履物は、入口側突片の入口側上縁が入り口側に向けて下り傾斜に形成されているので、履物を脱ぐ時に足を後方に引いても、踵が後方の差込み部の入口側突片の上縁に当たりにくくなり、脱ぎ易くなる。
【図面の簡単な説明】
【図１】  本発明の履物の一例の斜視図。
【図２】  図１の履物の一部切欠き状態の斜視図。
【図３】  図１の履物の分解図。
【図４】  図１の履物の差込み部の分解図。
【図５】  図１の履物のＡ−Ａ断面図
【図６】  図１の履物のＢ−Ｂ断面図
【図７】  図１の履物のＣ−Ｃ断面図
【図８】  本発明の履物の他例の斜視図。
【符号の説明】
１  底板
２  差込み部
３  掛け具
４  細長材
５  留め具
６  空間部
７  カバー
８  入口側上縁
【図１】
0003635570.tif 000002
【図２】
0003635570.tif 000003
【図３】
0003635570.tif 000004
【図４】
0003635570.tif 000005
【図５】
0003635570.tif 000006
【図６】
0003635570.tif 000007
【図７】
0003635570.tif 000008
【図８】
0003635570.tif 000009